(57)【要約】【課題】  印字時の発色不良の解消、及び、消去時の消去不良の解消、並びに、情報記録部の破損の防止を可能とする情報記録部付き可逆性感熱記録媒体を提供する。【解決手段】  支持体３上に設けられた情報記録素子５を有する情報記録部２００を、可逆性感熱記録媒体１に、情報記録素子５が支持体３を介して可逆性感熱記録媒体１と反対側になるように設ける。【選択図】  図１
2005250578.tif 000002
【特許請求の範囲】
【請求項１】
支持体上に設けられた情報記録素子を有する情報記録部を、可逆性感熱記録媒体に、前記情報記録素子が前記支持体を介して前記可逆性感熱記録媒体と反対側になるように設けたことを特徴とする情報記録部付き可逆性感熱記録媒体。
【請求項２】
前記情報記録素子の支持体側とは反対側に、１又は複数の薄層基材を設けたことを特徴とする請求項１に記載の情報記録部付き可逆性感熱記録媒体。
【請求項３】
前記可逆性感熱記録媒体と前記支持体の間に剛性部材を設けることを特徴とする請求項１又は２に記載の情報記録部付き可逆性感熱記録媒体。
【請求項４】
前記情報記録素子の前記支持体側とは反対側に剛性部材を設けたことを特徴とする請求項１乃至３いずれか１項に記載の情報記録部付き可逆性感熱記録媒体。
【請求項５】
前記情報記録素子の周辺に枠を設けたことを特徴とする請求項１乃至４のいずれか１項に記載情報記録部付き可逆性感熱記録媒体。
【請求項６】
前記枠の厚みが、前記情報記録素子の厚みより大きいことを特徴とする請求項５記載の情報記録部付き可逆性感熱記録媒体。
【請求項７】
前記情報記録素子の前記支持体側とは反対側に発泡ポリウレタン樹脂層を設けることを特徴とする請求項１乃至６いずれか１項に記載の情報記録部付き可逆性感熱記録媒体。
【請求項８】
前記発泡ポリウレタン樹脂層の支持体側とは反対側に薄層基材を設けることを特徴とする請求項７に記載の情報記録部付き可逆性感熱記録媒体。
【請求項９】
前記情報記録素子がＩＣチップであることを特徴とする請求項１乃至８のいずれか１項に記載の情報記録部付き可逆性感熱記録媒体。
【請求項１０】
前記情報記録部が非接触式の情報記録部であることを特徴とする請求項１乃至９のいずれか１項に記載の情報記録部付き可逆性感熱記録媒体。
【請求項１１】
請求項１乃至１０のいずれか１項に記載の情報記録部付き可逆性感熱記録媒体に情報を記録する情報記録方法。
【請求項１２】
前記可逆性感熱記録媒体に硬度が２０度以上７０度以下のプラテンロールを用いて情報を記録する請求項１１記載の情報記録方法。
【発明の詳細な説明】
【技術分野】
【０００１】
本発明は、情報記録部付き可逆性感熱記録媒体及び情報記録方法に関する。
【背景技術】
【０００２】
可逆性感熱記録媒体に情報記録部を設けた情報記録部付き可逆性感熱記録媒体において、情報記録部の内部情報を書き換えると共に、記録されている情報を可視画像として可逆性感熱記録媒体に表示することが出来ることが知られている（例えば  特許文献１、特許文献２、特許文献３、特許文献４等）。図９は、従来の情報記録部付き可逆性感熱記録媒体１００を示す。図９に示すように、情報記録部付き可逆性感熱記録媒体１００は、情報記録部２００及び情報記録部２００に接着層２ａを介して接着された可逆性感熱記録媒体１を有し、情報記録部２００は、その支持体３上にアンテナ回路４及び情報記録素子５を有する。従来の情報記録部付き可逆性感熱記録媒体１００においては、情報記録素子５及び可逆性感熱記録媒体１が支持体３の同じ側に設けられている。
【０００３】
しかし、情報記録部付き可逆性感熱記録媒体１００に対して消去又は印字を行う際にサーマルヘッド、消去バー、消去ローラー、消去板等の加熱装置を情報記録部付き可逆性感熱記録媒体１００に押し当てるが、情報記録部２００の情報記録素子５（例えばＩＣチップ）の存在により可逆性感熱記録媒体１が不均一にプレスされてしまい、可逆性感熱記録媒体１に凸部が形成されてしまう。その結果、可逆性感熱記録媒体１を加熱装置によって均一に加熱することができなくなり、印字時には、可逆性件熱記録媒体１における熱伝導を均一に保てず、可逆性感熱記録媒体１に記録した画像にムラが生じてしまう。また、情報の消去時には可逆性感熱記録媒体１における加熱装置の接する部分にムラが生じるため、消去不良が発生してしまう。また、可逆性感熱記録媒体１における情報記録素子５が設けられた部分には凸部が生じるので、情報記録素子５が可逆性感熱記録媒体１を介して加熱装置にプレスされて、情報記録素子５が可逆性感熱記録媒体１から剥がれたり、傷がついたりするという問題がある。
【０００４】
そこで、上記問題を解決するために様々な手法がとられている（例えば、特許文献５、特許文献６、特許文献７、特許文献８、特許文献９、特許文献１０等）が、これらの手法を用いると、情報記録部付き可逆性感熱記録媒体は、厚く硬いカードとなってしまい、可逆性感熱記録用の印字消去装置で情報記録素子に記録される情報の書き換えと可逆性感熱記録媒体に記録される情報の書き換えを同時に処理することができないという問題があった。
【０００５】
【特許文献１】特開２０００−９４８６６号公報
【特許文献２】特開２０００−２５１０４２号公報
【特許文献３】特開２００１−６３２２８号公報
【特許文献４】特開２００２−１０３６５４号公報
【特許文献５】特開平１１−９１２７４号公報
【特許文献６】特開平１１−５９０３７号公報
【特許文献７】特開平１１−８５９３８号公報
【特許文献８】特開２００２−１１７８８０号公報
【特許文献９】特開２００３−１４１４８６号公報
【特許文献１０】特開２００３−１４１４９４号公報
【発明の開示】
【発明が解決しようとする課題】
【０００６】
本発明は、印字時の発色不良の解消、消去時の消去不良の解消、情報記録素子の破損の防止及びフレキシブルな可逆性感熱記録媒体を得ることを可能とする情報記録部付き可逆性感熱記録媒体を提供することを目的とする。
【０００７】
また、本発明は、印字時の発色不良の解消、消去時の消去不良の解消及び情報記録素子の破損の防止を可能とする情報記録方法を提供することを目的とする。
【課題を解決するための手段】
【０００８】
本発明により、前記課題を解決できる。具体的には、以下の情報記録部付き可逆性感熱記録媒体を得ることができる。
【０００９】
上記課題の一つを解決するために、本発明は、情報記録部付き可逆性感熱記録媒体において、支持体上に設けられた情報記録素子を有する情報記録部を、可逆性感熱記録媒体に、前記情報記録素子が前記支持体を介して前記可逆性感熱記録媒体と反対側になるように設けることを特徴とする。これにより、印字時の発色不良の解消、消去時の消去不良の解消情報記録素子の破損の防止及びフレキシブルな可逆性感熱記録媒体を得ることができる。
【００１０】
本発明は、さらに、前記情報記録素子の支持体側とは反対側に、１又は複数の薄層基材を設けるように構成することができる。これにより、印字時の発色不良の解消、消去時の消去不良の解消、情報記録素子の破損の防止及びフレキシブルな可逆性感熱記録媒体を得ることができる。
【００１１】
本発明は、さらに、前記可逆性感熱記録媒体と前記支持体の間に剛性部材を設けるように構成することができる。これにより、印字時の発色不良の解消、消去時の消去不良の解消及び情報記録素子が破損することを防止する効果を向上させることができる。
【００１２】
本発明は、さらに、前記情報記録素子の前記支持体側とは反対側に剛性部材を設けるように構成することができる。これにより、情報記録素子の破壊防止効果が向上する。
【００１３】
本発明は、さらに、前記情報記録素子の周辺に枠を設けるように構成することができる。これにより、情報記録素子の破壊防止効果が向上する。
【００１４】
本発明は、さらに、前記枠の厚みが、前記情報記録素子の厚みより大きいように構成することができる。これにより、情報記録素子の破壊防止効果が向上する。
【００１５】
本発明は、さらに、前記情報記録素子の前記支持体側とは反対側に発泡ポリウレタン樹脂層を設けるように構成することができる。これにより、情報記録素子が破損することを防止する効果が向上する。
【００１６】
本発明は、さらに、前記発泡ポリウレタン樹脂層の支持体側とは反対側に薄層基材を設けるように構成することができる。これにより、ポリウレタン樹脂層の磨耗を低減することができる。
【００１７】
本発明は、さらに、前記情報記録素子がＩＣチップであるように構成することができる。これにより、情報記録部のメモリーが大きくなる。
【００１８】
本発明は、さらに、前記情報記録部が非接触式の情報記録部であるように構成することができる。これにより、接触式ＩＣ方式で生じる接点の劣化の問題を生じずにすむ。
【００１９】
前記課題の一つを解決するために、本発明は、情報記録方法において、上記の情報記録部付き可逆性感熱記録媒体に情報を記録するように構成することができる。これにより、印字時の発色不良の解消、消去時の消去不良の解消及び情報記録素子の破損の防止ができる。
【００２０】
また、本発明は、さらに、前記可逆性感熱記録媒体に硬度が２０度以上７０度以下のプラテンロールを用いて情報を記録するように構成することができる。
【００２１】
これにより、印字時の発色不良の解消、消去時の消去不良の解消及び情報記録部の破損の防止ができると共にプラテンロールの耐久性を高めることができる。
【発明の効果】
【００２２】
本発明により、印字時の発色不良の解消、消去時の消去不良の解消、情報記録素子の破損の防止及びフレキシブルな可逆性感熱記録媒体を得ることを可能とする情報記録部付き可逆性感熱記録媒体を提供することができる。
【００２３】
また、本発明は、印字時の発色不良の解消、消去時の消去不良の解消及び情報記録素子の破損の防止を可能とする情報記録方法を提供することができる。
【発明を実施するための最良の形態】
【００２４】
図１に示すように、本発明の情報記録部付き可逆性感熱記録媒体１００は少なくとも、可逆性感熱記録媒体１及び情報記録部２００を有し、情報記録部２００は、情報記録素子５及び情報記録素子５を支持する支持体３を有している。また、図１に示すように、情報記録部２００を、可逆性感熱記録媒体１に、情報記録素子５が支持体３を介して可逆性感熱記録媒体１と反対側になるように設けている。
【００２５】
図１０に示すように、可逆性感熱記録媒体１は少なくとも可逆性感熱記録層１２を有する。
【００２６】
可逆性感熱記録層１２は、少なくともロイコ染料と顕色剤を含有し、加熱温度および／または加熱後の冷却速度の違いにより相対的に発色した状態と消色した状態を示す。
【００２７】
また、可逆性感熱記録媒体１には、可逆性感熱記録層１２の他に、必要に応じて保護層１０、中間層１１、図示していない光熱変換層、バック層１４又は図示していないアンダー層を設けてもよい。
【００２８】
ここで、保護層１０を設けることで、可逆性感熱記録媒体の劣化を防止できる。
【００２９】
また、可逆性感熱記録層１２と保護層１０の間に中間層１１を設けることで、可逆性感熱記録層１２と保護層１０の接着性を向上させ、保護層１０を塗布することによる可逆性感熱記録層１２の変質を防止し、保護層１０の中にある添加剤が可逆性感熱記録層１２へ移行することを防止することができる。これによって可逆性感熱記録媒体１における発色画像の保存性が改善できる。
【００３０】
さらに、光熱変換層を設けることで、レーザー光を吸収して光を熱に変換でき、可逆性感熱記録層１２に対するレーザー記録が可能となる。
【００３１】
また、バック層１４を設けることで、可逆性感熱記録層１２面の収縮によるカールを抑えることができる。
【００３２】
加えて、アンダー層を設けることで、可逆性感熱記録媒体１の発色感度、及び接着性が向上する。
【００３３】
情報記録部２００の支持体３には、一般的な紙フェノール、ガラスエポキシ、コンポジット等のリジッドタイプ、ポリイミドフィルム、ポリエステルフィルム、紙、合成紙等のフレキシブルタイプ、および両者の複合タイプが使用できる。
【００３４】
図１に示すように、情報記録素子５と可逆性感熱記録媒体１を、支持体３を介して反対側に設けたことで、印字時及び消色時に情報記録素子５の存在により可逆性感熱既得媒体１が不均一にプレスされて可逆性感熱記録媒体１に凸部が形成されてしまうことを防止できる。その結果、可逆性感熱記録媒体１を均一に加熱することができるようになるので、印字時の発色不良の解消、及び、消去時の消去不良の解消が可能となる。また、可逆性感熱記録媒体１における情報記録素子５が設けられた部分に生じる凸部の大きさを小なくできるので、情報記録素子５が可逆性感熱記録媒体から剥がれたり、傷ついたりすることを防止できる。また、本発明における情報記録部付き可逆性感熱記録媒体１００においては、情報記録部２００が、情報記録素子５が支持体３を介して可逆性感熱記録媒体１と反対側になるように、可逆性感熱記録媒体１に接着されているので、加熱装置で可逆性感熱記録媒体１をプレスする際に情報記録素子５によって可逆性感熱記録媒体１に生じる凸部が小さいため、情報記録部付き可逆性感熱記録媒体１００の厚さを薄くすることができる。すなわち、本発明における情報記録部付き可逆性感熱記録媒体１００は、フレキシブルなシート状のものであってもよい。
【００３５】
図２に示すように、情報記録素子５の支持体側とは反対側に、情報記録素子５を保護する保護層のような１又は複数の薄層基材６を設けることが好ましい。薄層基材６の材料としては、エポキシ樹脂、ポリイミドフィルム、ポリエステルフィルム等を用いることができる。
【００３６】
支持体３と可逆性感熱記録媒体１を接着（粘着）する接着層（粘着層）２ａ、及び支持体３と薄層基材６を接着（粘着）する接着層（粘着層）２ｂは、本製造工程中の積層貼合時に接着力を保持するものが使用できる。通常は常温もしくは加熱した状態で加圧接着できるものが用いられ、ＥＶＡ（エチレン−酢酸ビニル）系接着剤など一般的なヒートシーラーが使用できる。接着剤としては、液状のアンカーコート剤等を用いることができる。
【００３７】
薄層基材６の材料には、滑性を持たせるためにプラスチック等を用いてもよい。また、付加機能として感熱層、可逆性感熱層、インクジェット層、印刷層を設けてもよい。
【００３８】
図２に示すように、情報記録部付き可逆性感熱記録媒体１００において、情報記録素子５と支持体３の境界を基準として、可逆性感熱記録媒体１側の層の厚みＬ１がその反対側の層の厚みＬ２より大きいことが好ましい。このようにすることで、印字時の発色不良の解消、消去時の消去不良の解消及び情報記録素子５が破損することを防止する効果を向上させることができる。
【００３９】
さらに、情報記録素子５と支持体３との境界を基準とした可逆性感熱記録媒体１側の層の厚みＬ１が、その反対側の層の厚みＬ２の５倍以上であることが特に好ましい。この場合には、可逆性感熱記録媒体１へ印字消去不良なしに情報を繰り返し記録することができる回数を向上させることができる。
【００４０】
図３に示すように、可逆性感熱記録媒体１と支持体３の間に、剛性部材である、ステンレス、アルミ、銅などの金属板７ａを設けることが好ましい。サーマルヘッドのような印字装置では、可逆性感熱記録媒体１の情報記録素子５が設けられた部分に局所的に荷重が加わり、可逆性感熱記録媒体１に繰り返し印字消去を行うと、情報記録素子５の破損が発生するが、可逆性感熱記録媒体１と支持体３の間に金属板７ａを設けることで、このような情報記録素子５の破損を防止できる。また、金属板７ａのような剛性部材を設けることで、印字時及び消去時に、情報記録部５の存在により可逆性感熱記録媒体１が不均一にプレスされて、可逆性感熱記録媒体１に凸部が形成されてしまうことをより効果的に防止できるので、印字時の発色不良の解消、消去時の消去不良の解消及び情報記録素子５の破損を防止することもできる。
【００４１】
金属板７ａのような剛性部材の厚みを、０．０１ｍｍ以上０．５０ｍｍ以下にすることで、情報記録素子５の破損防止及び印字消去に特に優れた情報記録部付き可逆性感熱記録媒体１００が提供できるのでさらに好ましい。剛性部材の厚みが０．０１ｍｍより小さければ、情報記録素子５の破損が生じ、剛性部材の厚みが０．５０ｍｍより大きければ、情報記録部付き可逆性感熱記録媒体１００の可撓性が低く、情報記録部付き可逆性感熱記録媒体１００を印字消去装置内で搬送しにくくなるためである。
【００４２】
図４（Ａ）、（Ｂ）に示すように、情報記録素子５の周辺に軟質樹脂をホットメルトで流すか又は硬化樹脂を流し、これらの樹脂をプレス及び硬化させて枠８を製作するか、又は情報記録素子５が収容される部分をくりぬいた金属製、樹脂製又はセラミック製の枠８を製作することが好ましい。情報記録素子５の周辺に枠８を設けることで、情報記録部付き可逆性感熱記録媒体１００の運送時及び保管などの取り扱い時に、情報記録部５同士の接触による衝撃で生じる情報記録素子５の破損を防止できる。また、図４（Ｂ）に示すように枠８を情報記録部５の周囲全体に設けることで、枠８も可逆性感熱記録媒体１を支持するため、可逆性感熱記録媒体の印字特性がさらに良くなる。
【００４３】
枠８の厚みをＴ、情報記録素子５の厚みをＳとした場合に、０．５０ｍｍ＞Ｔ＞Ｓとすることが好ましい。Ｔが０．５０ｍｍ以上では、情報記録部付き可逆性感熱記録媒体１００の可撓性が低く、情報記録部付き可逆性感熱記録媒体１００を印字消去装置内で搬送できなくなり、また、Ｔが情報記録素子５の厚みＳより小さいと情報記録素子５が容易に破損する。
【００４４】
図５に示すように、金属板７ａと枠８を同時に用いることが好ましい。このことにより、印字時の発色不良の解消、消去時の消去不良の解消及び情報記録素子５の破損を防止する効果が更に高くなる。
【００４５】
図６（Ａ）、（Ｂ）の示すように、情報記録素子５の支持体側とは反対側に、金属板７ｂのような剛性部材を設けることが好ましい。このことにより、印字時の発色不良の解消、消去時の消去不良の解消及び情報記録素子５の破損を防止する効果が更に高くなる。
【００４６】
この際には、金属板７ｂの厚みが０．０１ｍｍ以上０．３０ｍｍ以下であることが好ましい。金属板７ｂの厚みが０．０１ｍｍより薄ければ情報記録素子５の破損を防止する効果が下がり、金属板７ｂの厚みが０．３０ｍｍ以上では、情報記録部付き可逆性感熱記録媒体１００の可撓性が乏しいので、情報記録部付き可逆性感熱記録媒体１００を印字消去装置で搬送しにくくなる。
【００４７】
さらに、図７に示すように、発泡ポリウレタン樹脂層９を設けることが好ましい。発泡ポリウレタン樹脂層９を設けることで、情報記録素子５の破損を防止する効果を向上させることができる。なお、発泡ポリウレタン樹脂以外のゴムでは、印字消去装置の加熱装置による熱で変形、劣化しやすいため、発泡ポリウレタン樹脂が好ましい。
【００４８】
発泡ポリウレタン樹脂層９の密度は、２０ｋｇ／ｍ３以上６０ｋｇ／ｍ３以下であることが好ましい。発泡ポリウレタン樹脂層９の密度が２０ｋｇ／ｍ３より小さい場合には、耐熱性のある発泡ポリウレタン層が、情報記録部付き可逆性感熱記録媒体１００を印字消去装置内で搬送したとき裂けやすく、発泡ポリウレタン樹脂層９の密度が６０ｋｇ／ｍ３より大きい場合には、情報記録素子５の破損につながりやすい。
【００４９】
また、発泡ポリウレタン樹脂層９の厚みが０．１ｍｍ以上１．０ｍｍ以下であることが好ましい。発泡ポリウレタン樹脂層９の厚みが１．０ｍｍより大きければ、耐熱性のある発泡ポリウレタン層が、情報記録部付き可逆性感熱記録媒体１００を印字消去装置内で搬送したとき裂けやすく、発泡ポリウレタン樹脂層９の厚みが０．１ｍｍより薄い場合には、情報記録素子５の破損につながりやすい。
【００５０】
図８に示すように、発泡ポリウレタン樹脂層９の支持体側とは反対側に、発泡ポリウレタン樹脂層９を保護する保護層のような薄層基材６を設けることが好ましい。薄層基材６を設けることで、可逆性感熱記録媒体１に繰り返し印字や消去をする際の発泡ポリウレタン層９の磨耗による劣化を防止することができる。また、付加機能として感熱層、可逆性感熱層、インクジェット層、印刷層を設けてもよい。
【００５１】
情報記録素子５としては、ＩＣチップを用いることが好ましい。ＩＣチップを用いることで、磁気記録方式の情報記録素子における磁気によるエラー、低メモリー、改ざんなどの問題を回避することができ、また、光メモリと比較して高い可撓性を有する。
【００５２】
情報記録素子５としてＩＣチップを用いる場合には、図１６に示すように、支持体３上に、ＩＣチップ５とアンテナ回路４を設け、両者を電気的に導通させればよい。
【００５３】
また、支持体３、アンテナ回路４及びＩＣチップ５からなる情報記録部を金属板の金属面に貼り合せて使用すると磁束が金属板により遮断されてしまい、十分な起電力を確保できないこともあるので、情報記録部２００には、高透磁率コアとアンテナコイル、または高透磁率コア、アンテナコイルと導電性金属から構成されているタイプを用いても良い。このようなタイプの情報記録部２００では、金属板の金属面付近で使用しても十分な起電力を得ることが出来るため可逆性感熱記録シートに用いる利点が大きい。
【００５４】
また、アンテナ回路とＩＣチップは、突起部が無く平滑面であることが望ましい。そのように構成することで、印字時の発色不良の解消、消去時の消去不良の解消及び情報記録素子５の破損を防止する効果が更に高くなる。
【００５５】
情報記憶素子５としては、非接触方式の情報記録素子が好ましい。情報記録素子５が接触式の場合には、接触式の情報記録素子で問題となる場合もある接点の劣化の問題がない。
【００５６】
図１３に示すように、可逆性感熱記録媒体１の搬送方向に沿った長さが、情報記録部２００の搬送方向に沿った長さよりも十分大きい場合には、可逆性感熱記録媒体１００に、情報記録部２００と可逆性感熱記録媒体１に生じる段差を埋め合わせるダミーラベル２０を設けることも好ましい。ダミーラベル２０を設けることで、可逆性感熱記録媒体１の印字消去に対する情報記録部２００の影響を緩和することができる。なお、図１４に示すように、可逆性感熱記録媒体１の搬送方向に沿った長さが、情報記録部２００の搬送方向に沿った長さと同程度である場合には、ダミーラベル２０を省略することができる。
【００５７】
また、硬度が２０度以上７０度以下のプラテンロール１８を含む可逆性感熱記録用消去印字装置を用いて可逆性感熱記録媒体１に消去印字を行うことが特に好ましい。プラテンロール１８の硬度が、２０度以上７０度以下になっていることで、印字時及び消去時において、プラテンロール１８に情報記録素子５によって生じる凸部を吸収することが可能になり、可逆性感熱記録媒体１に対するムラのない印字消去が可能になる。プラテンロール１８の硬度が７０度以上では、情報記録素子５によって生じる凸部を吸収しなくなる。プラテンロール１８の硬度が１０度以下は、プラテンロールの耐久性が低く、可逆性感熱記録媒体１に対する印字消去のムラが発生する。
【００５８】
また、図１２の印字消去装置のように、情報記録部付き可逆性感熱記録媒体１００が湾曲した経路で搬送される装置を用いる場合には、支持体３が、プラスチックシートで、可逆性感熱記録シート１の厚みが、１０μｍ以上４００μｍ以下で構成されていることが好ましい。可逆性感熱記録シート１の厚み１０μｍ以下では、装置の搬送強度が弱くなるし、可逆性感熱記録シート１の厚み４００μｍ以上は、情報記録部付き可逆性感熱記録媒体１００を湾曲した経路で搬送する装置では、情報記録部付き可逆性感熱記録媒体１００を搬送しにくくなる。
【００５９】
情報記録部２００は、可逆性感熱記録媒体１に貼り付けて使用するため、シート形状であることが好ましい。特に、図１５に示すように、情報記録部付き可逆性感熱記録媒体１００は、可逆性感熱記録媒体１上に、ダミーラベル２０及び情報記録部２００を一体に形成し、一体に形成されたダミーラベル２０及び情報記録部２００が、搬送方向に垂直な方向に関して可逆性感熱記録媒体１の大部分を覆うようににラベル加工してあることが望ましい。
【００６０】
なお、情報記録部付き可逆性感熱記録媒体１００の接着面以外の面を易接着、撥水、撥油、帯電防止等、必要に応じて各種処理を施してもよい。
【実施例】
【００６１】
（実施例１）
まず、図１０に示すようにバック層１４、支持体１３、可逆性感熱記録層１２、中間層１１及び保護層１０を順次重ね合わせて厚み１５０μｍの可逆性感熱記録媒体１を作成した。
【００６２】
次に、２５μｍの支持体３上にアンテナ回路４を形成し、アンテナ回路４が形成された面に厚さ２００μｍのＩＣチップ５を実装してＩＣ回路を形成し、情報記録部２００を作製した。
【００６３】
可逆性感熱記録媒体１のバック層１４と情報記録部２００を、厚さ５０μｍの接着層２ａを介して、支持体３を挟んで可逆性感熱記録媒体１とＩＣチップ５とが反対側になるように貼り付け、図１に示す構成の情報記録部付き可逆性感熱記録媒体１００を作成した。このシート状の情報記録部付き可逆性感熱記録媒体１００にサーマルヘッドと消去ローラーを兼ね備えた専用プリンターにて消去印字を行ったところ情報記録部２００の貼り付けた部分とダミーラベル２０の貼り付けた部分で印字画像のムラや消去残りの発生はほとんど見られなかった。
【００６４】
（実施例２）
ＩＣチップからなる情報記録部５の上に、エポキシ樹脂からなる薄層基材６を、厚さ３０μｍの接着層２ｂを介して設けた以外は、実施例１と同様にして、図２に示す構成の情報記録部付き可逆性感熱記録媒体１００を作成した。このシート状の情報記録部付き可逆性感熱記録媒体１００にサーマルヘッドと消去ローラーを兼ね備えた専用プリンターにて消去印字を行ったところ情報記録部２００の貼り付けた部分とダミーラベル２０の貼り付けた部分で印字画像のムラや消去残りの発生はほとんど見られなかった。
【００６５】
（実施例３）
支持体３と接着層２ａとの間に、０．０１ｍｍのステンレス鋼からなる剛性を示す部材７ａを挟んだ以外は実施例２と同様にして、図３に示す構成の情報記録部付き可逆性感熱記録媒体１００を作成した。このシート状の情報記録部付き可逆性感熱記録媒体１００にサーマルヘッドと消去ローラーを兼ね備えた専用プリンターにて消去印字を行ったところ印字画像のムラや消去残りの発生はほとんど見られなかった。また、ＩＣチップ５の破損が少なくなった。
【００６６】
（実施例４）
支持体３と接着層２ａとの間に、０．１０ｍｍのステンレス鋼からなる剛性を示す部材７ａを挟んだ以外は実施例２と同様にして、図３に示す構成の情報記録部付き可逆性感熱記録媒体１００を作成した。このシート状の情報記録部付き可逆性感熱記録媒体１００にサーマルヘッドと消去ローラーを兼ね備えた専用プリンターにて消去印字を行ったところ印字画像のムラや消去残りの発生はほとんど見られなかった。また、ＩＣチップ５の破損が少なくなった。
【００６７】
（実施例５）
ＩＣチップ５を加工後、光反応性接着剤を滴下し、ＵＶ照射して形成される枠８を設け、ＩＣチップ５と枠８の上に、厚さ３０μｍの接着層２ｂを介してエポキシ樹脂からなる薄層基材６を設けた以外は実施例２と同様にして、図４（Ａ）に示す構成の情報記録部付き可逆性感熱記録媒体１００を作成した。このシート状の情報記録部付き可逆性感熱記録媒体１００にサーマルヘッドと消去ローラーを兼ね備えた専用プリンターにて消去印字を行ったところ印字画像のムラや消去残りの発生はほとんど見られなかった。また、ＩＣチップ５の破損が少なくなった。
【００６８】
（実施例６）
ＩＣチップ５を加工後、ＩＣチップ５を収容する穴の開いた厚さ２５０μｍのポリエステルフィルムからなる枠８を設け、さらに、このポリエステルフィルムの枠８上に厚さ３０μｍの接着層２ｂを介してエポキシ樹脂からなる薄層基材６を設けた以外は実施例２と同様にして、図４（Ａ）に示す構成の情報記録部付き可逆性感熱記録媒体１００を作成した。このシート状の情報記録部付き可逆性感熱記録媒体１００にサーマルヘッドと消去ローラーを兼ね備えた専用プリンターにて消去印字を行ったところ印字画像のムラや消去残りの発生はほとんど見られなかった。また、ＩＣチップ５の破損が少なくなった。
【００６９】
（実施例７）
ＩＣチップ５を加工後、ＩＣチップ５を枢要する穴の開いた厚さ２５０μｍのポリエステルフィルムからなる枠８をつくり、ＩＣチップ５とポリエステルフィルムの枠８上に厚さ３０μｍの接着層２ｂを介してエポキシ樹脂からなる薄層基材６を設け、さらに、支持体３と接着層２ａとの間に、０．０１ｍｍのステンレス鋼からなる金属板７ａを挟んだ以外は実施例２と同様にして、図５に示す構成の情報記録部付き可逆性感熱記録媒体１００を作成した。このシート状の情報記録部付き可逆性感熱記録媒体１００にサーマルヘッドと消去ローラーを兼ね備えた専用プリンターにて消去印字を行ったところ印字画像のムラや消去残りの発生はほとんど見られなかった。また、ＩＣチップ５の破損が少なくなった。
【００７０】
（実施例８）
ＩＣチップ５を加工後、光反応性接着剤を滴下し、ＵＶ照射して枠８を形成した後、ＩＣチップ５と枠８上に０．０１ｍｍのステンレス鋼からなる金属板７ｂを設け、その上に厚さ３０μｍの接着層２ｂを介して、エポキシ樹脂からなる薄層基材６を設けた以外は実施例３と同様にして、図６（Ｂ）に記載されている構成の情報記録部付き可逆性感熱記録媒体１００を作成した。このシート状の情報記録部付き可逆性感熱記録媒体１００にサーマルヘッドと消去ローラーを兼ね備えた専用プリンターにて消去印字を行ったところ印字画像のムラや消去残りの発生はほとんど見られなかった。また、ＩＣチップ５の破損が少なくなった。
【００７１】
（実施例９）
厚みが０．５ｍｍで、密度が６０ｋｇ／ｍ３である発泡ポリウレタン樹脂層９をＩＣチップ５上に設けた以外は実施例１と同様にして図７に示す構成の情報記録部付き可逆性感熱記録媒体１００を作成した。このシート状の情報記録部付き可逆性感熱記録媒体１００にサーマルヘッドと消去ローラーを兼ね備えた専用プリンターにて消去印字を行ったところ印字画像のムラや消去残りの発生はほとんど見られなかった。また、ＩＣチップ５の破損が少なくなった。
【００７２】
（実施例１０）
厚み０．５ｍｍの密度が２０ｋｇ／ｍ３であるシート状の発泡ポリウレタン樹脂層９をＩＣチップ５上に設けた以外は実施例１と同様にして図７に示す構成の情報記録部付き可逆性感熱記録媒体１００を作成した。このシート状の情報記録部付き可逆性感熱記録媒体１００にサーマルヘッドと消去ローラーを兼ね備えた専用プリンターにて消去印字を行ったところ印字画像のムラや消去残りの発生はほとんど見られなかった。また、ＩＣチップ５の破損が少なくなった。
【００７３】
（実施例１１）
ＩＣチップ５を加工後、光反応性接着剤を滴下し、ＵＶ照射して枠８を形成した後、ＩＣチップ５と枠８上に０．０１ｍｍのステンレス鋼の金属板７ｂを設け、厚さ３０μｍの接着層２ｂを介して厚み０．５ｍｍで、密度が６０ｋｇ／ｍ３である発泡ポリウレタン樹脂層９を設け、その上に上質紙のラベルからなる薄層基材６を設けた以外は実施例３と同様にして、図８に示す構成の情報記録部付き可逆性感熱記録媒体１００を作成した。このシート状の情報記録部付き可逆性感熱記録媒体１００にサーマルヘッドと消去ローラーを兼ね備えた専用プリンターにて消去印字を行ったところ印字画像のムラや消去残りの発生はほとんど見られなかった。また、ＩＣチップ５の破損が少なくなった。
【００７４】
（比較例１）
３８μｍの基材からなるポリエステルフィルムからなる支持体３の上に、アンテナ回路４を設け、そのアンテナ面に厚み２００μｍのＩＣチップ５を実装して情報記録部２００を作成した。さらに、厚さ３０μｍの接着層２ａを介して、情報記録部２００の支持体３と実施例１の可逆性感熱記録媒体のバック層１４を、ＩＣチップ５を可逆性感熱記録媒体１が同じ側になるように、張り合わせて、図９に示す構成の情報記録部付き感熱記録媒体を作成した。このシート状の情報記録部付き可逆性感熱記録媒体１００にサーマルヘッドと消去ローラーを兼ね備えた専用プリンターにて消去印字を行ったところ、印字画像のムラや消去残りが発生し、また、ＩＣチップ５の破損も多かった。
【００７５】
印字不良及び消去不良の試験は、東北リコ−製試作機（２００３．０９スキャンテック発表品）を用いてＲＦＩＤの情報のリライトと可逆性表示の消去と印字を１００枚のシートを１００回繰り返し行ない、画像の品質を目視判断した。
【００７６】
ＩＣチップ耐久試験は、東北リコ−製試作機（２００３．０９スキャンテック発表品）を用いてＲＦＩＤの情報のリライトと可逆性表示の消去と印字を１００枚のシートを１００回繰り返し行った後、タカヤ製ＲＦＩＤリーダーでＲＦＩＤの情報が判読できない枚数をカウントして行った。
【００７７】
ＩＣチップ荷重試験は、１００枚のシートを重ねて、１０ｋｇ／ｃｍ２の荷重を１分掛けた後、タカヤ製ＲＦＩＤリーダーでＲＦＩＤの情報が判読できない枚数をカウントして行った。
【００７８】
以上の評価結果を表１に示す。
【００７９】
【表１】
2005250578.tif 000003
表１に示すように、実施例に示す本発明による情報記録部付き可逆性感熱記録媒体では、比較例に示す情報記録部付き可逆性感熱記録媒体と比較して、印字不良、消去不良、及びＩＣチップの破損が低減されることが確認できた。
【産業上の利用可能性】
【００８０】
本発明の情報記録部付き可逆性感熱記録媒体は、例えば、入出チケット、冷凍食品用容器、工業製品、各種薬品容器等のステッカー、物流管理用途、製造工程管理、文書管理用途などのＡ４サイズなど一般文書サイズに加工されたシート状のものとして広く用いることができる。
【図面の簡単な説明】
【００８１】
【図１】本発明の第一の実施形態における情報記録部付き可逆性感熱記録媒体１００の断面図である。
【図２】本発明の第二の実施形態における情報記録部付き可逆性感熱記録媒体１００の断面図である。
【図３】本発明の第三の実施形態における情報記録部付き可逆性感熱記録媒体１００の断面図である。
【図４】（Ａ）は、本発明の第四の実施形態における情報記録部付き可逆性感熱記録媒体１００の断面図であり、（Ｂ）は、本発明の第五の実施形態における情報記録部付き可逆性感熱記録媒体１００の断面図である。
【図５】本発明の第六の実施形態におけるは情報記録部付き可逆性感熱記録媒体１００の断面図である。
【図６】（Ａ）は、本発明の第七の実施形態における情報記録部付き可逆性感熱記録媒体１００の断面図であり、（Ｂ）は、本発明の第八の実施形態における情報記録部付き可逆性感熱記録媒体１００の断面図である。
【図７】本発明の第九の実施形態における情報記録部付き可逆性感熱記録媒体１００の断面図である。
【図８】本発明の第十の実施形態における情報記録部付き可逆性感熱記録媒体１００の断面図である。
【図９】従来の情報記録部付き可逆性感熱記録媒体１００の断面図である。
【図１０】可逆性感熱記録媒体１の断面図である。
【図１１】プリンターの断面図である。
【図１２】別のプリンターの断面図である。
【図１３】（Ａ）及び（Ｂ）は、それぞれ、情報記録部付き可逆性感熱記録媒体１００の平面図及び断面図である。
【図１４】（Ａ）及び（Ｂ）は、それぞれ、別の情報記録部付き可逆性感熱記録媒体１００の平面図及び断面図である。
【図１５】（Ａ）及び（Ｂ）は、それぞれ、さらに別の情報記録部付き可逆性感熱記録媒体１００の平面図及び断面図である。
【図１６】情報記録部２００の平面図である。
【符号の説明】
【００８２】
１      可逆性感熱記録媒体
２ａ、２ｂ        接着層      
３      支持体  
４      アンテナ回路  
５      情報記録素子
６      薄層基材
７ａ、７ｂ      金属板      
８      枠  
９      発泡ポリウレタン樹脂層  
１０    保護層
１１    中間層  
１２    可逆性感熱記録層  
１３    可逆性感熱記録媒体の支持体
１４    バック層  
１５    セラミックバー（消去バー）  
１６    搬送ローラ
１７    サーマルヘッド
１８    プラテンロール
１９    熱ロール（消去ロール）
２０    ダミーラベル
１００  情報記録部付き可逆性感熱記録媒体
２００    情報記録部
【図１】
2005250578.tif 000004
【図２】
2005250578.tif 000005
【図３】
2005250578.tif 000006
【図４】
2005250578.tif 000007
【図５】
2005250578.tif 000008
【図６】
2005250578.tif 000009
【図７】
2005250578.tif 000010
【図８】
2005250578.tif 000011
【図９】
2005250578.tif 000012
【図１０】
2005250578.tif 000013
【図１１】
2005250578.tif 000014
【図１２】
2005250578.tif 000015
【図１３】
2005250578.tif 000016
【図１４】
2005250578.tif 000017
【図１５】
2005250578.tif 000018
【図１６】
2005250578.tif 000019